(57)【要約】【課題】ネジによって筐体に固定したアンテナをこの筐体内に収納した際に、ネジを覆い隠して外見のデザインを良好に保つ携帯無線機と、ホイップアンテナ部と、この携帯無線機の製造方法とを提供する。【解決手段】ホイップアンテナ部の先端にはアンテナトップを設ける。また、筐体にはこのアンテナトップと同じ形状のアンテナトップ収納部を設ける。ホイップアンテナを筐体の中に収納する際、アンテナトップがアンテナトップ収納部に収まる。このとき、ホイップアンテナ部を筐体に固定するネジが、アンテナトップによって覆い隠される。【選択図】図１
2010103915.tif 000002
【特許請求の範囲】
【請求項１】
筐体と、
前記筐体に接続されたホイップアンテナ部と、
前記ホイップアンテナ部を固定するために前記筐体に螺合されたネジと
を具備し、
前記ホイップアンテナ部は、
前記筐体の内部に出没可能なアンテナエレメントと、
前記アンテナエレメントの先端に設けられたアンテナトップと
を具備し、
前記筐体は、
前記アンテナエレメントを収納するためのアンテナエレメント収納部と、
前記アンテナトップを収納するためのアンテナトップ収納部と
を具備し、
前記アンテナトップは、
前記アンテナエレメントが前記アンテナエレメント収納部に収納された際において、前記アンテナトップ収納部に収納されて、かつ、前記ネジを覆い隠す形状
を具備する
携帯無線機。
【請求項２】
請求項１に記載の携帯無線機において、
前記アンテナトップは、
前記アンテナトップ収納部に収納された際において、前記筐体の、前記アンテナトップ収納部以外の表面と一体化する表面
をさらに具備する
携帯無線機。
【請求項３】
請求項１または２に記載の携帯無線機において、
前記ホイップアンテナ部は、
前記ネジによって前記筐体に固定されるためのアンテナサポート板
をさらに具備し、
前記アンテナサポート板は、
前記ネジの軸が通るためのアンテナ側ネジ穴
を具備し、
前記筐体は、
前記アンテナサポート板を保持するためのアンテナサポート板保持部
をさらに具備し、
前記アンテナサポート板保持部は、
前記ネジと螺合するための筐体側ネジ穴
を具備する
携帯無線機。
【請求項４】
請求項１〜３のいずれかに記載の携帯無線機において、
前記ホイップアンテナ部は、
前記アンテナエレメントを摺動自在に保持するアンテナエレメント保持部
をさらに具備する
携帯無線機。
【請求項５】
請求項１〜４のいずれかに記載の携帯無線機において、
前記アンテナエレメントは、
お互いに摺動自在に接続されて、かつ、全体として伸縮自在である、複数のエレメント
を具備する
携帯無線機。
【請求項６】
請求項１〜５のいずれかに記載の携帯無線機において、
前記筐体は、
前記ホイップアンテナ部に接続された地上デジタル放送受信回路
を具備する
携帯無線機。
【請求項７】
請求項１〜６のいずれかに記載の携帯無線機において、
前記筐体は、
前記ホイップアンテナ部に接続された無線通信送受信回路
を具備する
携帯無線機。
【請求項８】
請求項１〜７のいずれかに記載の携帯無線機における
ホイップアンテナ部。
【請求項９】
（ａ）筐体を製造するステップと、
（ｂ）ホイップアンテナ部を製造するステップと、
（ｃ）前記ホイップアンテナ部を、前記筐体に、ネジで固定するステップと
を具備し、
前記ステップ（ｂ）は、
（ｂ−１）前記筐体の内部に出没可能なアンテナエレメントを設けるステップと、
（ｂ−２）アンテナトップを、前記アンテナエレメントの先端に設けるステップと
を具備し、
前記ステップ（ａ）は、
（ａ−１）前記アンテナエレメントを収納するためのアンテナエレメント収納部を、前記筐体に設けるステップと、
（ａ−２）前記アンテナトップを収納するためのアンテナトップ収納部を、前記筐体に設けるステップと
を具備し、
前記ステップ（ｂ−２）は、
（ｂ−２−１）前記アンテナトップの形状を、前記アンテナエレメントが前記アンテナエレメント収納部に収納された際において、前記アンテナトップ収納部に収納され、かつ、前記ネジを覆い隠すようにするステップ
を具備する
携帯無線機製造方法。
【請求項１０】
請求項９に記載の携帯無線機製造方法において、
前記ステップ（ｂ−２）は、
（ｂ−２−２）前記アンテナトップの表面を、前記アンテナエレメントが前記アンテナエレメント収納部に収納された際において、前記筐体の、前記アンテナトップ収納部以外の表面と一体化するようにするステップ
を具備する
携帯無線機製造方法。
【請求項１１】
請求項９または１０に記載の携帯無線機製造方法において、
前記ステップ（ｂ）は、
（ｂ−３）前記ネジによって前記筐体に固定されるためのアンテナサポート板を設けるステップ
をさらに具備し、
前記ステップ（ｂ−３）は、
（ｂ−３−１）前記ネジの軸が通るためのアンテナ側ネジ穴を、前記アンテナサポート板に設けるステップ
を具備し、
前記ステップ（ａ）は、
（ａ−３）前記アンテナサポート板を保持するためのアンテナサポート板保持部を、前記筐体に設けるステップ
をさらに具備し、
前記ステップ（ａ−３）は、
（ａ−３−１）前記ネジと螺合するための筐体側ネジ穴を、前記アンテナサポート板保持部に設けるステップ
を具備する
携帯無線機製造方法。
【請求項１２】
請求項９〜１１のいずれかに記載の携帯無線機製造方法において、
前記ステップ（ｂ）は、
（ｂ−４）前記アンテナエレメントを摺動自在に保持するアンテナエレメント保持部を設けるステップ
をさらに具備する
携帯無線機製造方法。
【請求項１３】
請求項９〜１２のいずれかに記載の携帯無線機製造方法において、
前記ステップ（ｂ−２）は、
（ｂ−２−１）お互いに摺動自在に接続されて、かつ、全体として伸縮自在である、複数のエレメントを、前記アンテナエレメントとして設けるステップ
を具備する
携帯無線機製造方法。
【請求項１４】
請求項９〜１３のいずれかに記載の携帯無線機製造方法において、
前記ステップ（ａ）は、
（ａ−３）地上デジタル放送受信回路を、前記筐体に設けるステップ
をさらに具備し、
（ｄ）地上デジタル放送受信回路を、前記ホイップアンテナ部に接続するステップ
をさらに具備する
携帯無線機製造方法。
【請求項１５】
請求項９〜１４のいずれかに記載の携帯無線機製造方法において、
前記ステップ（ａ）は、
（ａ−４）無線通信送受信回路を、前記筐体に設けるステップ
をさらに具備し、
（ｅ）無線通信送受信回路を、前記ホイップアンテナ部に接続するステップ
をさらに具備する
携帯無線機製造方法。
【発明の詳細な説明】
【技術分野】
【０００１】
本発明は、携帯無線機と、ホイップアンテナ部と、この携帯無線機の製造方法とに係り、特に、筐体内部に出没可能なアンテナを具備する携帯無線機と、ホイップアンテナ部と、この携帯無線機の製造方法とに係る。
【背景技術】
【０００２】
近年、地上波デジタル放送の普及に伴い、携帯電話などの携帯端末においても地上波デジタル放送を視聴出来るアプリケーション機能を搭載することが望まれている。
【０００３】
また、携帯無線機の受信用アンテナとしては、伸縮可能で筐体から出没可能なホイップアンテナが用いられることが多い。しかし、このようなホイップアンテナを設けることによって、携帯無線機の外観デザインが損なわれてしまう。
【０００４】
さらに、ホイップアンテナを携帯無線機の筐体にネジ付けによって接続する場合がある。ネジによる接続方法は、故障時などにホイップアンテナの交換を容易にする反面、ネジが剥き出しになることによってやはり携帯無線機の外観デザインが損なわれてしまう。
【０００５】
上記に関連して、特許文献１（特開２０００−５９１１９号公報）には、携帯端末機器のアンテナ収容部構造に係る記載が開示されている。特許文献１に開示された携帯端末機器のアンテナ収容部構造は、アンテナ収容部と、ホイップアンテナと、保護キャップと、凹部と、凸部とを有してなる。ここで、アンテナ収容部は、携帯端末機器の筐体に設けられている。ホイップアンテナは、このアンテナ収容部に伸縮自在に取り付けられ前記筐体内に出没する。保護キャップは、このホイップアンテナの先端部に取り付けられている。凹部は、この保護キャップのホイップアンテナ側の根元部分内側に形成している。凸部は、アンテナ収容部の端部に凹部と嵌合するよう形成している。この携帯端末機器のアンテナ収容部構造は、ホイップアンテナの収容時に保護キャップの凹部がアンテナ収容部の凸部を覆うように嵌合すべく構成したことを特徴とする。
【０００６】
【特許文献１】特開２０００−５９１１９号公報
【発明の開示】
【発明が解決しようとする課題】
【０００７】
本発明の目的は、ネジによって筐体に固定したアンテナをこの筐体内に収納した際に、ネジを覆い隠して外見のデザインを良好に保つ携帯無線機と、ホイップアンテナ部と、この携帯無線機の製造方法とを提供することである。
【課題を解決するための手段】
【０００８】
本発明による携帯無線機は、筐体と、ホイップアンテナ部と、ネジとを具備している。ここで、ホイップアンテナ部は、筐体に接続されている。ネジは、ホイップアンテナ部を固定するために筐体に螺合されている。ホイップアンテナ部は、アンテナエレメントと、アンテナトップとを具備する。アンテナエレメントは、筐体の内部に出没可能である。アンテナトップは、アンテナエレメントの先端に設けられている。筐体は、アンテナエレメント収納部と、アンテナトップ収納部とを具備する。ここで、アンテナエレメント収納部は、アンテナエレメントを収納するためのものである。アンテナトップ収納部は、アンテナトップを収納するためのものである。アンテナトップは、アンテナエレメントがアンテナエレメント収納部に収納された際において、アンテナトップ収納部に収納されて、かつ、ネジを覆い隠す形状を具備する。
【０００９】
本発明による携帯無線機製造方法は、（ａ）筐体を製造するステップと、（ｂ）ホイップアンテナ部を製造するステップと、（ｃ）ホイップアンテナ部を、筐体に、ネジで固定するステップとを具備する。ステップ（ｂ）は、（ｂ−１）筐体の内部に出没可能なアンテナエレメントを設けるステップと、（ｂ−２）アンテナトップを、アンテナエレメントの先端に設けるステップとを具備する。ステップ（ａ）は、（ａ−１）アンテナエレメントを収納するためのアンテナエレメント収納部を、筐体に設けるステップと、（ａ−２）アンテナトップを収納するためのアンテナトップ収納部を、筐体に設けるステップとを具備する。ステップ（ｂ−２）は、（ｂ−２−１）アンテナトップの形状を、アンテナエレメントがアンテナエレメント収納部に収納された際において、アンテナトップ収納部に収納され、かつ、ネジを覆い隠すようにするステップを具備する。
【発明の効果】
【００１０】
本発明による携帯無線機と、ホイップアンテナ部と、この携帯無線機の製造方法とによれば、ホイップアンテナ部の先端にはアンテナトップを設ける。また、筐体にはこのアンテナトップと同じ形状のアンテナトップ収納部を設ける。ホイップアンテナを筐体の中に収納する際、アンテナトップがアンテナトップ収納部に収まる。このとき、ホイップアンテナ部を筐体に固定するネジが、アンテナトップによって覆い隠される。
【発明を実施するための最良の形態】
【００１１】
添付図面を参照して、本発明による携帯無線機と、ホイップアンテナ部と、この携帯無線機の製造方法とを実施するための最良の形態を以下に説明する。
【００１２】
図１は、本発明の実施形態における携帯無線機の全体的な構成を説明するための俯瞰図である。
【００１３】
図２は、本発明の実施形態における携帯無線機の内部的な構成を説明するための断面図である。ただし、アンテナトップ２１と、アンテナエレメント２２と、ネジ３０とを省略してある。
【００１４】
この携帯無線機は、筐体１０と、ホイップアンテナ部２０と、ネジ３０とを具備する。
【００１５】
筐体１０は、アンテナトップ収納部１１と、アンテナエレメント収納部１２と、アンテナサポート板取付部１３とを具備する。アンテナサポート板取付部１３は、筐体側ネジ穴１３１を具備する。
【００１６】
ホイップアンテナ２０は、アンテナトップ２１と、アンテナエレメント２２と、アンテナエレメント保持部２３と、アンテナサポート板２４とを具備する。アンテナエレメント２２は、上部エレメント２２１と、中部エレメント２２２と、下部エレメント２２３とを具備する。アンテナサポート板２４は、アンテナ側ネジ穴２４１を具備する。
【００１７】
アンテナトップ２１は、上部エレメント２２１の先端に接続されている。
【００１８】
上部エレメント２２１は、中部エレメント２２２に摺動可能に接続されている。ここで、中部エレメント２２２は、中空であって、中部エレメント２２２の内部に上部エレメント２２１が収納可能である。ただし、上部エレメント２２１が中部エレメント２２２から抜け落ちないように、中部エレメント２２２の内部における上部エレメント２２１の先端にストッパーを設けることが望ましい。
【００１９】
同様に、中部エレメント２２２は、下部エレメント２２３に摺動可能に接続されている。ここで、下部エレメント２２３は、中空であって、下部エレメント２２３の内部に中部エレメント２２２が収納可能である。ただし、中部エレメント２２２が下部エレメント２２３から抜け落ちないように、下部エレメント２２３の内部における中部エレメント２２２の先端にストッパーを設けることが望ましい。
【００２０】
下部エレメント２２３の先端は、アンテナエレメント保持部２３に、摺動可能に接続されている。下部エレメント２２３がアンテナエレメント保持部２３から抜け落ちないように、下部エレメント２２３の先端にはストッパーを設けることが望ましい。
【００２１】
アンテナエレメント２２は、筐体１０に内蔵された図示されない任意の電気回路に接続されている。この任意の電気回路とは、例えば地上デジタル放送の受信回路であっても良いし、または携帯電話などその他の無線通信回路であっても良い。
【００２２】
アンテナサポート板２４は、アンテナサポート板取付部に、ネジ３０によって固定されている。ここで、ネジ３０は、アンテナ側ネジ穴２４１を介して筐体側ネジ穴１３１に螺合されている。
【００２３】
なお、ネジ３０を取り外すことによって、アンテナサポート板２４がアンテナサポート板取付部から容易に取り外せる構成であることが望ましい。これは、ホイップアンテナ部２０の交換などを容易にするための構成である。
【００２４】
ホイップアンテナ部２０を、伸びている状態から縮めて筐体１０に収納する動作について説明する。アンテナトップ２１などを、アンテナエレメント２２の軸方向に、筐体１０に向けて押すと、アンテナエレメント２２の各エレメント２２１〜２２３と、アンテナエレメント保持部２３とがお互いに摺動する。アンテナエレメント２２の長さは縮み、アンテナエレメント収納部１２に収納される。また、アンテナトップ２１は、アンテナトップ収納部１１に収納される。
【００２５】
なお、この例では、アンテナエレメント２２は３つのエレメント２２１〜２２３を具備しているが、これらエレメントの数は必ずしも３つに限定されない。伸縮可能なエレメントの総数は、本発明の本質には特に影響しないので、２つであっても良いし、４つ以上であっても構わない。さらには、アンテナエレメント２２が伸縮不可能な単独のエレメントであっても構わない。
【００２６】
図３は、本発明による携帯無線機の、ホイップアンテナ部２０を筐体１０に収納した際における俯瞰図である。
【００２７】
アンテナエレメント２２をアンテナエレメント収納部１２に収納する際に、アンテナトップ２１はアンテナトップ収納部１１に収納される。このとき、ネジ３０と、アンテナ側ネジ穴２４１とは、アンテナトップ２１によって覆い隠されて、外部から見えなくなる。
【００２８】
なお、ネジ３０と、アンテナ側ネジ穴２４１と、筐体側ネジ穴１３１とは、この例ではそれぞれ１つずつであるが、これはあくまでも一例であって、必ずしもこの数に限定されない。例えば、ネジ３０と、アンテナ側ネジ穴２４１と、筐体側ネジ穴１３１とが、それぞれ複数であっても構わない。ただし、その場合でも、アンテナトップ２１がアンテナトップ収納部１１に収納された際には、全てのネジ３０およびアンテナ側ネジ穴２４１が、アンテナトップ２１によって覆い隠されて、外部から見えなくなる。
【００２９】
また、アンテナトップ収納部１１はアンテナトップ２１と同じ形状をしている。すなわち、アンテナトップ２１をアンテナトップ収納部１１に収納すると、アンテナトップ２１の表面は、筐体１０の、アンテナトップ収納部１１以外の表面と一体化される。言い換えれば、アンテナトップ収納部１１に収納されている状態のアンテナトップ２１は、筐体表面より飛び出す部分が無い形状をしている。
【００３０】
なお、アンテナトップ２１の形状は、アンテナトップ収納部１１に収納された際に、ネジ３０を覆い隠すことが優先事項である。収納時におけるアンテナトップ２１と筐体１０とが合わさった形状については、携帯無線機の全体的なデザインに合わせてデザインされることが望ましい。
【００３１】
ここまで、ホイップアンテナ部２０を地上デジタル放送の受信に用いるものとして説明してきたが、その他の目的に用いても何ら問題は無い。具体的には、携帯電話端末の通信用アンテナとして用いても良い。さらには、ホイップアンテナ部１０を、地上デジタル放送の受信アンテナ、携帯電話端末など無線通信の送受信アンテナ、その他の目的のアンテナなどに、共通して使用しても構わない。
【図面の簡単な説明】
【００３２】
【図１】図１は、本発明の実施形態における携帯無線機の全体的な構成を説明するための俯瞰図である。
【図２】図２は、本発明の実施形態における携帯無線機の内部的な構成を説明するための断面図である。
【図３】図３は、本発明による携帯無線機の、ホイップアンテナ部を筐体に収納した際における俯瞰図である。
【符号の説明】
【００３３】
１０  筐体
１１  アンテナトップ収納部
１２  アンテナエレメント収納部
１３  アンテナサポート板取付部
１３１  筐体側ネジ穴
２０  ホイップアンテナ部
２１  アンテナトップ
２２  アンテナエレメント
２２１  上部エレメント
２２２  中部エレメント
２２３  下部エレメント
２３  アンテナエレメント保持部
２４  アンテナサポート板
２４１  アンテナ側ネジ穴
３０  ネジ
【図１】
2010103915.tif 000003
【図２】
2010103915.tif 000004
【図３】
2010103915.tif 000005